(57)【要約】    【構成】折り畳み型の携帯電話機１０は、第１筐体（Ｃ１）の内側面に設けられるメインディスプレイ２６ａおよび第１筐体（Ｃ１）の内側面に設けられるサブディスプレイ２６ｂを備える。携帯電話機１０のプロセッサ２０は、使用者の操作によって発生する時刻表示イベントに応じて、サブディスプレイ２６ｂに現在時刻だけを表示させる。    【効果】携帯電話機は、時刻表示イベントが発生すると、現在時刻だけをサブディスプレイ２６ｂに表示させるため、使用者はサブディスプレイ２６ｂに表示される時刻が確認しやすくなる。【選択図】図１
2011049846.tif 000002
【特許請求の範囲】
【請求項１】
相対移動することにより、開状態および閉状態となる第１筐体と第２筐体とからなる携帯電話機であって、
前記第１筐体と前記第２筐体とが閉状態となった際に、外部に露出する第１ディスプレイ、
動作状態を検出する検出手段、および
前記検出手段によって検出された動作状態に対応する情報だけを前記第１ディスプレイに表示させる情報表示手段を備える、携帯電話機。
【請求項２】
時刻情報を出力する時刻出力手段をさらに備え、
前記検出手段は、前記時刻情報表示する時刻表示イベントの発生を前記動作状態として検出する時刻表示イベント検出手段を含み、
前記情報表示手段は、前記時刻表示イベントの発生が検出されたとき、前記時刻出力手段が出力する時刻情報だけを前記動作状態に対応する情報として前記第１ディスプレイに表示させる時刻情報表示手段を含む、請求項１記載の携帯電話機。
【請求項３】
前記時刻情報が表示されてから第１所定時間が経過したとき、時刻情報に加えて携帯電話機の状態を示すアイコンを表示させるアイコン表示手段をさらに備える、請求項２記載の携帯電話機。
【請求項４】
操作部をさらに備え、
前記時刻表示イベントは、前記操作部が操作されたときに発生する、請求項２または３記載の携帯電話機。
【請求項５】
予め設定されたアラーム時刻情報を記憶する記憶手段をさらに備え、
前記時刻表示イベントは、前記時刻出力手段から出力される時刻情報が、前記アラーム時刻情報と一致したときに発生する、請求項２ないし４のいずれかに記載の携帯電話機。
【請求項６】
前記第１筐体と前記第２筐体との開状態および閉状態を検出する開閉検出手段、
前記時刻表示イベントは、前記開閉検出手段によって開状態と閉状態とが連続して検出されたときに発生する、請求項２ないし５のいずれかに記載の携帯電話機。
【請求項７】
発呼信号および発信元情報を受信する受信手段をさらに備え、
前記検出手段は、前記発呼信号が受信される着呼状態を前記動作状態として検出する着呼状態検出手段を含み、
前記情報表示手段は、前記発信元情報に基づく着呼情報だけを前記動作状態に対応する情報として前記第１ディスプレイに表示させる着呼情報表示手段を含む、請求項１ないし６のいずれかに記載の携帯電話機。
【請求項８】
前記携帯電話機の状態情報の表示に切り替える切替操作がされたかを判断する判断手段、および
前記判断手段によって切替操作がされたと判断されたとき、前記第１ディスプレイに前記状態情報だけを表示させる状態情報表示手段をさらに備える、請求項１ないし７のいずれかに記載の携帯電話機。
【請求項９】
前記第１筐体と前記第２筐体とが閉状態となった際に、該第１筐体と第２筐体とにより遮蔽され、
前記第１筐体と前記第２筐体とが開状態となった際に、外部に露出する第２ディスプレイを備える、請求項１ないし８のいずれかに記載の携帯電話機。
【請求項１０】
相対移動することにより、開状態および閉状態となる第１筐体と第２筐体とからなり、前記第１筐体と前記第２筐体とが閉状態となった際に、外部に露出するディスプレイを有する携帯電話機のプロセッサを、
動作状態を検出する検出手段、および
前記検出手段によって検出された動作状態に対応する情報だけを前記ディスプレイに表示させる情報表示手段として機能させる、情報表示プログラム。
【請求項１１】
相対移動することにより、開状態および閉状態となる第１筐体と第２筐体とからなり、前記第１筐体と前記第２筐体とが閉状態となった際に、外部に露出するディスプレイを有する携帯電話機の情報表示方法であって、
動作状態を検出し、そして
前記検出手段によって検出された動作状態に対応する情報だけを前記ディスプレイに表示させる、情報表示方法。
【請求項１２】
相対移動することにより、開状態および閉状態となる第１筐体と第２筐体とからなる電子機器であって、
前記第１筐体と前記第２筐体とが閉状態となった際に、外部に露出するディスプレイ、
動作状態を検出する検出手段、および
前記検出手段によって検出された動作状態に対応する情報だけを前記ディスプレイに表示させる情報表示手段を備える、電子機器。
【発明の詳細な説明】
【技術分野】
【０００１】
この発明は、携帯電話機に関し、特にたとえばメインディスプレイおよびサブディスプレイを有する、折り畳み型の携帯電話機に関する。
【背景技術】
【０００２】
従来、特にたとえばメインディスプレイおよびサブディスプレイを有する、折り畳み型の携帯電話機が知られており、この種の装置の一例が、特許文献１に開示されている。この先行技術の折畳式通信端末装置は、開いた状態で詳細な情報を表示するメインディスプレイ、折り畳んだ状態で複数の簡易情報を表示するサブディスプレイおよび開いた状態と閉じた状態とを検出する開閉検出スイッチなどを有する。たとえば、サブディスプレイには、現在時刻とアンテナのRSSI(電波強度)を表すアンテナピクトとが表示される。また、音声通話の着信に対して応答しなければ、サブディスプレイには着信があったことが表示される。この場合に、開閉検出スイッチによって開いた状態が検出されると、メインディスプレイには音声通話の着信履歴情報が表示される。
【先行技術文献】
【特許文献】
【０００３】
【特許文献１】特開２００２−１０１１６０号公報［H04M 1/00, H04B 1/40, H04Q 7/32, H04M 1/02］
【発明の概要】
【発明が解決しようとする課題】
【０００４】
近年、携帯電話機では、コストダウンのため、表示面積が狭いサブディスプレイが採用されることがある。ところが、先行技術のように、サブディスプレイに複数の簡易情報を同時に表示させると、各簡易情報の表示が小さくなる。そのため、使用者はサブディスプレイに表示される複数の簡易情報を確認し辛くなってしまう。
【０００５】
それゆえに、この発明の主たる目的は、新規な、携帯電話機、情報表示プログラム、情報表示方法および電子機器を提供することである。
【０００６】
この発明の他の目的は、外側に設けられるディスプレイに表示される情報を、確認しやすくすることができる、携帯電話機、情報表示プログラム、情報表示方法および電子機器を提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明は、相対移動することにより、開状態および閉状態となる第１筐体と第２筐体とからなる携帯電話機であって、第１筐体と第２筐体とが閉状態となった際に、外部に露出する第１ディスプレイ、動作状態を検出する検出手段、および検出手段によって検出された動作状態に対応する情報だけをサブディスプレイに表示させる情報表示手段を備える、携帯電話機である。
【０００９】
第１の発明では、携帯電話機（１０）は、相対移動することにより、開状態および閉状態となる第１筐体（Ｃ１）と第２筐体（Ｃ２）とからなる。第１ディスプレイ（２６ｂ）は、サブディスプレイと呼ばれることもあり、携帯電話機が閉状態となった際に、外部に露出する。検出手段（２０，Ｓ１，Ｓ２１，Ｓ４１，Ｓ６１）は、使用者の操作によって発生するイベントや、実行される機能（プログラム）による動作状態を検出する。そして、情報表示手段（２０，Ｓ３，Ｓ２３，Ｓ４５，Ｓ６５）は、検出された動作状態に対応して、たとえば文字列などで示される情報だけを第１ディスプレイに表示させる。
【００１０】
第１の発明によれば、携帯電話機の動作状態に応じた情報だけが外側のディスプレイに表示されるため、使用者は外側のディスプレイの表示が確認しやすくなる。
【００１１】
第２の発明は、第１の発明に従属し、時刻情報を出力する時刻出力手段をさらに備え、検出手段は、時刻情報表示する時刻表示イベントの発生を動作状態として検出する時刻表示イベント検出手段を含み、情報表示手段は、時刻表示イベントの発生が検出されたとき、時刻出力手段が出力する時刻情報だけを動作状態に対応する情報として第１ディスプレイに表示させる時刻情報表示手段を含む。
【００１２】
第２の発明では、ＲＴＣ(Real Time Clock)などの時刻出力手段（２０ａ）は、現在の時刻情報を出力する。たとえば、時刻情報表示する時刻表示イベントは、使用者の操作や、プログラムの処理によって発生し、時刻表示イベント検出手段（２０，Ｓ１）は、その時刻表示イベントの発生を検出する。時刻情報表示手段（２０，Ｓ３）は、時刻表示イベントの発生に応じて現在の時刻情報を英数字列などで第１ディスプレイに表示させる。
【００１３】
第２の発明によれば、使用者は、時刻表示イベントが発生した携帯電話機であれば、容易に時刻を確認できるようになる。
【００１４】
第３の発明は、第２の発明に従属し、時刻情報が表示されてから第１所定時間が経過したとき、時刻情報に加えて携帯電話機の状態を示すアイコンを表示させるアイコン表示手段をさらに備える。
【００１５】
第３の発明では、第１ディスプレイに時刻情報が表示されてから、たとえば５秒（第１所定時間）経過すると、アイコン表示手段（２０，Ｓ７）は、現在の時刻情報に加えて、たとえば充電池の残電池容量などを表す状態アイコンも同時に表示させる。
【００１６】
第３の発明によれば、使用者は、時刻を確認した後に、携帯電話機の状態も容易に確認できるようになる。
【００１７】
第４の発明は、第２の発明または第３の発明に従属し、操作部をさらに備え、時刻表示イベントは、操作部が操作されたときに発生する。
【００１８】
第４の発明では、操作部（２２ａ）は操作キーなどであり、使用者によって任意に操作される。そして、時刻表示イベントは、使用者によって操作部が操作されたときに発生する。
【００１９】
第４の発明によれば、使用者は、時刻を確認したいときに操作キーなどを操作するだけで、外側のディスプレイに現在時刻だけを表示させることができる。
【００２０】
第５の発明は、第２の発明ないし第４の発明のいずれかに従属し、予め設定されたアラーム時刻情報を記憶する記憶手段をさらに備え、時刻表示イベントは、時刻出力手段から出力される時刻情報が、アラーム時刻情報と一致したときに発生する。
【００２１】
第５の発明では、ＲＡＭなどの記憶手段（３０）は、使用者によって予め設定されたアラーム時刻情報（３３６）を記憶する。そして、時刻表示イベントは、使用者によって予め設定された時刻になると発生する。
【００２２】
第５の発明によれば、携帯電話機は、使用者が設定したアラーム時刻になれば、現在時刻だけを表示させることができる。
【００２３】
第６の発明は、第２の発明ないし第５の発明のいずれかに従属し、第１筐体と第２筐体との開状態および閉状態を検出する開閉検出手段、時刻表示イベントは、開閉検出手段によって開状態と閉状態とが連続して検出されたときに発生する。
【００２４】
第６の発明では、開閉検出手段（３２，３４）は、たとえば磁気センサ（３２）と磁石（３４）とを含み、携帯電話機における開状態および閉状態を検出する。そして、時刻表示イベントは、開状態と閉状態とが連続して検出されるように、使用者によって２つの筐体が開閉されると発生する。
【００２５】
第６の発明によれば、使用者は、折り畳み型の携帯電話機の筐体を開閉するだけで、現在時刻を容易に確認できる。
【００２６】
第７の発明は、第１の発明ないし第６の発明のいずれかに従属し、発呼信号および発信元情報を受信する受信手段をさらに備え、検出手段は、発呼信号が受信される着呼状態を動作状態として検出する着呼状態検出手段を含み、情報表示手段は、発信元情報に基づく着呼情報だけを動作状態に対応する情報として第１ディスプレイに表示させる着呼情報表示手段を含む。
【００２７】
第７の発明では、受信手段（１２）は、アンテナを含み、発信元情報と発信元からの発呼信号とを受信する。着呼状態検出手段（２０，Ｓ２１）は、発呼信号が受信されている着呼状態を検出する。着呼情報表示手段（２０，Ｓ２３）は、たとえば発信元情報に含まれる電話番号または電話番号に対応する氏名を着呼情報として第１ディスプレイに表示させる。
【００２８】
第７の発明によれば、使用者は、着呼状態の携帯電話機において、容易に発呼者を確認することができる。
【００２９】
第８の発明は、第１の発明ないし第７の発明のいずれかに従属し、携帯電話機の状態情報の表示に切り替える切替操作がされたかを判断する判断手段、および判断手段によって切替操作がされたと判断されたとき、第１ディスプレイに状態情報だけを表示させる状態情報表示手段をさらに備える。
【００３０】
第８の発明では、判断手段（２０，Ｓ８３）は、使用者による切替操作がされたか否かを判断する。状態情報表示手段（２０，Ｓ８５）は、使用者によって切替操作がされたとき、携帯電話機の状態を表す状態情報だけを表示させる。
【００３１】
第８の発明によれば、使用者は、自身が必要な情報だけを表示させることができる。
【００３２】
第９の発明は、第１の発明ないし第８の発明のいずれかに従属し、第１筐体と第２筐体とが閉状態となった際に、該第１筐体と第２筐体とにより遮蔽され、第１筐体と第２筐体とが開状態となった際に、外部に露出する第２ディスプレイを備える。
【００３３】
第９の発明では、第２ディスプレイ（２６ａ）は、メインディスプレイであり、閉状態では遮蔽され、開状態である場合に外部に露出する。
【００３４】
第９の発明によれば、開状態では、内側に設けられたディスプレイにも情報を表示させることができる。
【００３５】
第１０の発明は、相対移動することにより、開状態および閉状態となる第１筐体と第２筐体とからなり、第１筐体（Ｃ１）と第２筐体（Ｃ２）とが閉状態となった際に、外部に露出するディスプレイ（２６ｂ）を有する携帯電話機（１０）のプロセッサ（２０）を、動作状態を検出する検出手段（Ｓ１，Ｓ２１，Ｓ４１，Ｓ６１）、および検出手段によって検出された動作状態に対応する情報だけをディスプレイに表示させる情報表示手段（Ｓ３，Ｓ２３，Ｓ４５，Ｓ６５）として機能させる、情報表示プログラムである。
【００３６】
第１０の発明も、第１の発明と同様に、携帯電話機の動作状態に応じた情報だけが外側のディスプレイに表示されるため、使用者は外側のディスプレイの表示が確認しやすくなる。
【００３７】
第１１の発明は、相対移動することにより、開状態および閉状態となる第１筐体と第２筐体とからなり、第１筐体（Ｃ１）と第２筐体（Ｃ２）とが閉状態となった際に、外部に露出するディスプレイ（２６ｂ）を有する携帯電話機（１０）の情報表示方法であって、動作状態を検出し（Ｓ１，Ｓ２１，Ｓ４１，Ｓ６１）、そして検出手段によって検出された動作状態に対応する情報だけをディスプレイに表示させる（Ｓ３，Ｓ２３，Ｓ４５，Ｓ６５）、情報表示方法である。
【００３８】
第１１の発明も、第１の発明と同様に、携帯電話機の動作状態に応じた情報だけが外側のディスプレイに表示されるため、使用者は外側のディスプレイの表示が確認しやすくなる。
【００３９】
第１２の発明は、相対移動することにより、開状態および閉状態となる第１筐体と第２筐体とからなり、第１筐体（Ｃ１）と第２筐体（Ｃ２）とが閉状態となった際に、外部に露出するディスプレイ（２６ｂ）を有する電子機器（１０）であって、動作状態を検出する検出手段（２０，Ｓ１，Ｓ２１，Ｓ４１，Ｓ６１）、および検出手段によって検出された動作状態に対応する情報だけをディスプレイに表示させる情報表示手段（２０，Ｓ３，Ｓ２３，Ｓ４５，Ｓ６５）を備える、電子機器である。
【００４０】
第１２の発明も、第１の発明と同様に、電子機器の動作状態に応じた情報だけが外側のディスプレイに表示されるため、使用者は外側のディスプレイの表示が確認しやすくなる。
【発明の効果】
【００４１】
この発明によれば、外側に設けられるディスプレイには、動作状態に応じた情報だけが表示されるようになるため、使用者は、必要な情報を容易に確認できるようになる。
【００４２】
この発明の上述の目的、その他の目的、特徴および利点は、図面を参照して行う以下の実施例の詳細な説明から一層明らかとなろう。
【図面の簡単な説明】
【００４３】
【図１】図１は本発明の一実施例の携帯電話機の電気的な構成を示すブロック図である。
【図２】図２は図１に示す携帯電話機の外観の一例を示す図解図である。
【図３】図３は図１に示す携帯電話機の他の外観の一例を示す図解図である。
【図４】図４は図１に示すメインディスプレイおよびサブディスプレイの表示の一例を示す図解図である。
【図５】図５は図１に示すＲＡＭのメモリマップの一例を示す図解図である。
【図６】図６は図１に示すプロセッサの時刻表示処理を示すフロー図である。
【図７】図７は図１に示すサブディスプレイの第２実施例における表示の一例を示す図解図である。
【図８】図８は図１に示すＲＡＭの第２実施例におけるメモリマップの一例を示す図解図である。
【図９】図９は図１に示すプロセッサの着呼情報表示処理を示すフロー図である。
【図１０】図１０は図１に示すサブディスプレイの第３実施例における表示の一例を示す図解図である。
【図１１】図１１は図１に示すＲＡＭの第３実施例におけるメモリマップの一例を示す図解図である。
【図１２】図１２は図１に示すプロセッサの再生情報表示処理を示すフロー図である。
【図１３】図１３は図１に示すプロセッサの音量情報表示処理を示すフロー図である。
【図１４】図１４は図１に示すサブディスプレイの第４実施例における表示の一例を示す図解図である。
【図１５】図１５は図１に示すプロセッサの第４実施例における時刻表示処理を示すフロー図である。
【発明を実施するための形態】
【００４４】
＜第１実施例＞
図１を参照して、携帯電話機１０は、プロセッサ（CPUまたはコンピュータと呼ばれることもある。）２０およびキー入力装置２２などを含む。プロセッサ２０は、W-CDMA（3GSMと呼ばれることもある。）方式に対応する無線通信回路１４を制御して発呼信号を出力する。出力された発呼信号は、アンテナ１２から送出され、基地局を含む移動通信網に送信される。通話相手が応答操作を行うと、通話可能状態が確立される。
【００４５】
通話可能状態に移行した後にキー入力装置２２によって通話終了操作が行われると、プロセッサ２０は、無線通信回路１４を制御して、通話相手に通話終了信号を送信する。そして、通話終了信号の送信後、プロセッサ２０は、通話処理を終了する。また、先に通話相手から通話終了信号を受信した場合も、プロセッサ２０は、通話処理を終了する。さらに、通話相手によらず、移動通信網から通話終了信号を受信した場合も、プロセッサ２０は通話処理を終了する。
【００４６】
携帯電話機１０が起動している状態で通話相手からの発呼信号がアンテナ１２によって捉えられると、無線通信回路１４は、着呼をプロセッサ２０に通知する。プロセッサ２０は、振動装置４０が内蔵するモータを駆動（回転）させることで携帯電話機１０を振動させ、発呼信号を受信している状態（着呼状態）であることを使用者に通知する。なお、プロセッサ２０は、振動装置４０を動作させると共に、図示しないスピーカから着呼音を出力させる。
【００４７】
通話可能状態では、次のような処理が実行される。通話相手から送られてきた変調音声信号（高周波信号）は、アンテナ１２によって受信される。受信された変調音声信号は、無線通信回路１４によって復調処理および復号処理が施される。そして、得られた受話音声信号は、スピーカ１８から出力される。一方、マイク１６によって取り込まれた送話音声信号は、無線通信回路１４によって符号化処理および変調処理が施される。そして、生成された変調音声信号は、上述と同様、アンテナ１２を利用して通話相手に送信される。
【００４８】
なお、発呼信号および発信元情報を受信するアンテナ１２は受信手段として機能する。また、スピーカ１８は音声出力装置と呼ばれることもあり、メインディスプレイ２６ａ（第２ディスプレイ）およびサブディスプレイ２６ｂ（第１ディスプレイ）は表示装置または表示手段と呼ばれることもある。さらに、携帯電話機１０は、プロセッサ２０に含まれるＲＴＣ２０ａ（時刻出力手段とも言う。）を利用した時刻表示機能や、アラーム機能などを有する。そして、図１に示す携帯電話機１０のブロック図では、簡単のため、充電池などの図示は省略する。
【００４９】
図２（Ａ）,（Ｂ）は、折り畳み型の携帯電話機１０の閉状態の外観を示す図解図であり、図３は、折り畳み型の携帯電話機１０の開状態の外観を示す図解図である。図２（Ａ），（Ｂ）を参照して、携帯電話機１０は、各々が平面矩形の第１筐体Ｃ１および第２筐体Ｃ２を有する。なお、第１筐体Ｃ１および第２筐体Ｃ２の厚みは略同じである。
【００５０】
キー入力装置２２に含まれる操作キー２２ａ（操作部）は、第２筐体Ｃ２の側面に設けられる。サブディスプレイ２６ｂは、モニタ画面が第１筐体Ｃ１の外側面に露出するように設けられる。ヒンジ機構Ｈは、第１筐体Ｃ１の長さ方向一方の側面に形成される。また、第２筐体Ｃ２は、長さ方向一方の内側面において露出する位置で、ヒンジ機項Ｈと結合される。そして、ヒンジ機構Ｈは、第１筐体Ｃ１を第２筐体Ｃ２の上に積層した状態で、第１筐体Ｃ１の短辺と平行な軸ＡＸを基準として可動させる。なお、ヒンジ機構Ｈは、開状態および閉状態を保持するための保持機構を含む。
【００５１】
図３を参照して、携帯電話機１０の開状態では、図示しないマイク１６は、第２筐体Ｃ２に内蔵され、内蔵されたマイク１６に通じる開口ＯＰ１は第２筐体Ｃ２の長さ方向他方の内側面に設けられる。同じく、図示しないスピーカ１８は、第１筐体Ｃ１に内蔵される。そして、内蔵されたスピーカ１８に通じる開口ＯＰ２は、第１筐体Ｃ１の長さ方向他方の内側面に設けられる。つまり、使用者は、開口ＯＰ１を通じてマイク１６に音声を入力し、開口ＯＰ２を通じてスピーカ１８から出力される音を聞く。
【００５２】
キー入力装置２２に含まれる第１機能キー群２２ｂおよび第２機能キー群２２ｃは、第２筐体Ｃ２の内側面に設けられる。第１機能キー群２２ｂには十字キーおよび複数のメニューキーなどが含まれ、第２機能キー群２２ｃには、テンキーおよび電源キーなどが含まれる。また、メインディスプレイ２６ａは、モニタ画面が第１筐体Ｃ１の内側面に露出するように設けられる。
【００５３】
たとえば、使用者は、テンキーを操作することで電話番号を入力し、電源キーを長押しすることで携帯電話機１０の電源をオン／オフする。また、電源キーが短押しされると、メインディスプレイ２６ａに待機状態を示す画像が表示され、携帯電話機１０は待機状態となる。
【００５４】
磁気センサ３２は第２筐体Ｃ２に内蔵され、磁石３４は、図２（Ａ）,（Ｂ）の状態で磁気センサ３２と最も近く、図３の状態で磁気センサ３２と最も遠くなるようにケースＣ１に内蔵される。つまり、磁気センサ３２は、磁石３４が出力する磁気によって携帯電話機１０の開状態および閉状態を検出する。たとえば、磁気センサ３２は、図２（Ａ）,（Ｂ）では最大値である２５５を出力し、図３に示す状態では最小値である０を出力する。そして、使用者は、開状態でメインディスプレイ２６ａを視認し、閉状態でサブディスプレイ２６ｂを視認する。
【００５５】
なお、アンテナ１２、無線通信回路１４、プロセッサ２０、第１表示ドライバ２４ａ、第２表示ドライバ２４ｂ、フラッシュメモリ２８および記憶手段として機能するＲＡＭ３０は、第１筐体Ｃ１または第２筐体Ｃ２に内蔵されており、図２（Ａ），（Ｂ）および図３では、図示されない。また、磁気センサ３２および磁石３４は開閉検出手段として機能する。
【００５６】
もちろん、開閉検出手段として、磁気センサ３２および磁石３４を用いた場合に限定されるものではなく、その他にも、たとえば、開閉の状態に応じて筐体の一方に設けられた押下部が、他方の筐体に設けられた筐体の被押下部を機械的に押下することにより、この押下状態による通電状態の変化などを検出して開閉を検出する機構であってもよい。
【００５７】
図４（Ａ）−（Ｃ）は、メインディスプレイ２６ａおよびサブディスプレイ２６ｂの表示例を示す図解図である。図４（Ａ）は、メインディスプレイ２６ａの表示例であり、状態表示領域６０および機能表示領域６２から構成される。状態表示領域６０には、携帯電話機１０の状態を示す表示などがされ、たとえばアンテナ１２の電波強度を表すアイコン（ピクト、ピクトグラフとも言われる）、充電池の残電池容量を表すアイコンおよび現在時刻が表示される。また、機能表示領域６２は、携帯電話機１０で実行される機能に応じた表示がされ、たとえば携帯電話機１０が待機状態であれば、待受画像が表示される。なお、アンテナ１２の電波強度を表すアイコンおよび充電池の残電池容量を表すアイコンなど、状態表示領域に表示されるアイコンをまとめて、状態アイコンと呼ぶこともある。
【００５８】
図４（Ｂ），（Ｃ）はサブディスプレイ２６ｂの表示例であり、図４（Ｂ）では現在時刻だけが表示されている状態を示し、図４（Ｃ）では状態表示領域６０に表示されるアンテナおよび充電池のアイコンと現在時刻とが同時に表示されている状態を示す。
【００５９】
ここで、本実施例では、携帯電話機１０の動作状態を検出し、検出された動作状態に対応する情報だけをサブディスプレイ２６ｂに表示させる。第１実施例における動作状態には時刻表示イベントが含まれ、時刻表示イベントが発生した場合に、サブディスプレイ２６ｂには図４（Ｂ）に示すように現在時刻だけが表示される。
【００６０】
また、時刻表示イベントは、使用者によって任意に発生させることができる。たとえば、時刻表示イベントは使用者によって操作キー２２ａが操作されると発生する。つまり、使用者は、時刻を確認したいときに、操作キー２２ａを操作するだけで、サブディスプレイ２６ｂに現在時刻だけを表示させることができる。また、使用者はアラーム時刻を携帯電話機１０に対して設定することで、時刻表示イベントを発生させることができる。つまり、携帯電話機１０は、使用者が設定したアラーム時刻になれば、現在時刻だけを表示させる。さらに、時刻表示イベントは、開状態と閉状態とが連続して検出されると発生する。つまり、使用者は、折り畳み型の携帯電話機１０の第１筐体Ｃ１および第２筐体Ｃ２を開閉するだけで、現在時刻を容易に確認できる。
【００６１】
このように、携帯電話機１０は、時刻発生イベントの発生に応じて、現在時刻だけをサブディスプレイ２６ｂに表示させる。そして、使用者は、時刻表示イベントが発生している携帯電話機１０であれば、容易に時刻を確認できるようになる。
【００６２】
なお、このような効果は、表示面積が狭いサブディスプレイ２６ｂを採用する携帯電話機１０において、特に特に有効である。たとえば、表示面積が狭いサブディスプレイ２６ｂにおいて、図４（Ｃ）に示すようにアイコンと現在時刻とが同時に表示されると、時刻の表示が小さくなるため、使用者はアイコンなどの余計な表示を煩わしく感じる場合がある。ところが、本実施例の携帯電話機１０では、サブディスプレイ２６ｂに現在時刻だけが表示されるため、上記のような問題の発生を防ぐことができる。
【００６３】
さらに、携帯電話機１０の開発メーカーは、表示面積が狭いサブディスプレイ２６ｂを採用することで発生する問題を事前に解消することができるため、携帯電話機１０のコストダウンや、消費電力の低減のために、小型のディスプレイ（表示装置）を採用できるようになる。
【００６４】
なお、サブディスプレイ２６ｂに現在時刻だけが表示されてから、第１所定時間（たとえば、５秒）が経過すると、図４（Ｃ）に示すように、アイコンと現在時刻とが同時に表示される。このように、サブディスプレイ２６ｂには、携帯電話機１０の状態を示すアイコンも表示させることができる。つまり、使用者は、時刻を確認した後に、容易に携帯電話機１０の状態も確認できるようになる。また、使用者は、携帯電話機１０を開状態にすることで、内側に設けられたメインディスプレイ２６ａにも時刻を表示させることができる。
【００６５】
図５は、ＲＡＭ３０のメモリマップを示す図解図である。図５を参照して、ＲＡＭ３０のメモリマップには、プログラム記憶領域３０２およびデータ記憶領域３０４が含まれる。プログラムおよびデータの一部は、フラッシュメモリ２８から一度に全部または必要に応じて部分的にかつ順次的に読み出され、ＲＡＭ３０に記憶されてからプロセッサ２０によって処理される。
【００６６】
プログラム記憶領域３０２には、携帯電話機１０を動作させるためのプログラムが記憶される。携帯電話機１０を動作させるためのプログラムは、時刻表示プログラム３１０などから構成される。時刻表示プログラム３１０は、時刻表示イベントの発生を監視し、そのイベントが発生するとサブディスプレイ２６ｂに現在時刻だけを表示させるプログラムである。なお、図示は省略するが、携帯電話機１０動作させるためのプログラムは、通話を行うためのプログラムや、アラーム時刻を設定するためのプログラムなどが含まれる。
【００６７】
データ記憶領域３０４には、時刻バッファ３３０などが設けられ、文字列データ３３２、ＧＵＩデータ３３４およびアラーム時刻データ３３６などが記憶される。また、データ記憶領域３０４には、開閉フラグ３３８および表示カウンタ３４０なども設けられる。
【００６８】
時刻バッファ３３０は、ＲＴＣ２０ａが出力する時刻が一時的に記憶されるバッファである。文字列データ３３２は、メインディスプレイ２６ａおよびサブディスプレイ２６ｂに表示される文字列のデータであり、たとえば０〜９の数字およびアルファベットの英数字列などが含まれる。ＧＵＩデータ３３４は、たとえばアンテナ１２の電波強度を表すアイコンや、充電池の残電池容量を表すアイコンなどのデータである。アラーム時刻データ３３６は、使用者によって予め設定されたアラーム時刻情報であり、たとえば数字列を表すデータによって構成される。
【００６９】
開閉フラグ３３８は、携帯電話機１０の開状態および閉状態を判断するためのフラグである。たとえば、開閉フラグ３３８は、１ビットのレジスタで構成される。開閉フラグ３３８がオン（成立）されると、レジスタにはデータ値「１」が設定される。一方、開閉フラグ３３８がオフ（不成立）されると、レジスタにはデータ値「０」が設定される。また、開閉フラグ３３８がオンであれば開状態であり、オフであれば閉状態である。そして、開閉フラグ３３８は、磁気センサ３２が出力する値によってオン／オフが切り替えられる。表示カウンタ３４０は、サブディスプレイ２６ｂに現在時刻などが表示されてからの時間を計測するためのカウンタである。
【００７０】
なお、図示は省略するが、データ記憶領域３０４には、待受画面で表示される待受画像データや、着呼に応答して出力される音声データなどが記憶されると共に、携帯電話機１０の動作に必要なカウンタや、フラグも設けられる。
【００７１】
プロセッサ２０は、「Linux（登録商標）」および「REX」などのRTOS(Real-time Operating System)の制御下で、図６に示す時刻表示処理などを含む、複数のタスクを並列的に処理する。
【００７２】
図６は、時刻表示処理のフロー図である。たとえば、携帯電話機１０の電源がオンにされると、プロセッサ２０は、ステップＳ１で時刻表示イベントか否かを判断する。つまり、時刻表示イベントの発生を検出したか否かを判断する。また、時刻発生イベントは、先述したとおり、操作キー２２ａが操作された場合、現在時刻がアラーム時刻と一致した場合および開状態および閉状態が連続して検出された場合に発生する。さらに、時刻表示イベントの発生に同期して特定のフラグがオンとなる処理が並列的に実行される場合には、ステップＳ１ではその特定のフラグがオンであるか否かを判断すればよい。
【００７３】
ステップＳ１で“ＮＯ”であれば、つまり時刻表示イベントが発生していなければ、ステップＳ１の処理を繰り返し実行する。一方、ステップＳ１で“ＹＥＳ”であれば、つまり時刻表示イベントが発生していれば、ステップＳ３でサブディスプレイ２６ｂに現在時刻だけを表示させる。つまり、ステップＳ３では、時刻バッファ３３０から現在時刻を表すデータを読出し、読み出したデータに基づいてサブディスプレイ２６ｂに現在時刻を表示させる。
【００７４】
続いて、ステップＳ５では、第１所定時間が経過したか否かを判断する。つまり、ステップＳ５では、サブディスプレイ２６ｂに現在時刻が表示されてから、第１所定時間が経過したか否かを判断する。また、具体的には、表示カウンタ３４０の値が、第１所定時間を超える値であるか否かを判断する。続いて、ステップＳ７では、サブディスプレイ２６ｂに現在時刻および状態アイコンを表示させ、ステップＳ１に戻る。たとえば、ステップＳ７では、図４（Ｃ）に示すように、現在時刻、アンテナ１２の電波強度を表すアイコン、充電池の残電池容量を表すアイコンがサブディスプレイ２６ｂに表示される。
【００７５】
なお、第１実施例において、ステップＳ１の処理を実行するプロセッサ２０は検出手段および時刻表示イベント検出手段として機能し、ステップＳ３の処理を実行するプロセッサ２０は情報表示手段および時刻情報表示手段として機能する。また、ステップＳ７の処理を実行するプロセッサ２０はアイコン表示手段として機能する。
【００７６】
＜第２実施例＞
第２実施例では、動作状態に着呼状態が含まれ、着呼状態になると発信元情報に基づく着呼情報だけがサブディスプレイ２６ｂに表示される。なお、第２実施例の携帯電話機１０は、第１実施例と同じであるため、携帯電話機１０の電気的な構成および外観など、重複した説明は省略する。
【００７７】
たとえば、第２実施例の携帯電話機１０のＲＡＭ３０には、電話番号および氏名などの情報から構成されるアドレスデータを複数含む、アドレス帳データが記憶される。また、発信元情報には相手の携帯電話機１０などの電話番号が含まれており、プロセッサ２０は発信元情報に含まれる電話番号と対応する氏名をアドレス帳データから検索する。そして、検索結果として氏名が得られた場合には、図７に示すように、氏名と着呼状態を表す絵文字とから構成される着呼情報だけを、サブディスプレイ２６ｂに表示させる。一方、検索結果として氏名が得られなければ、電話番号と着呼状態を表す絵文字とから構成される着呼情報だけを、サブディスプレイ２６ｂに表示させる。
【００７８】
このように、着呼状態である携帯電話機１０では、相手の情報(氏名または電話番号)がサブディスプレイ２６ｂに表示されるため、使用者は、着呼状態の携帯電話機１０において、容易に発呼者を確認することができる。
【００７９】
なお、着呼状態を表す絵文字の代わりに、ＬＥＤが発光する色や、スピーカから出力される音によって着呼状態を表してもよく、この場合に、着呼情報には着呼状態を表す絵文字が含まれない。つまり、サブディスプレイ２６ｂには、相手の氏名または電話番号だけが表示される。
【００８０】
図８は、第２実施例におけるＲＡＭ３０のメモリマップを示す図解図である。なお、第２実施例のＲＡＭ３０には、図５に示したプログラムおよびデータが既に記憶されており、さらにバッファ、フラグおよびカウンタも既に設けられている。
【００８１】
第２実施例のプログラム記憶領域３０２には、携帯電話機１０を動作させるためのプログラムとして着情報表示プログラム３１４がさらに記憶される。着呼情報表示プログラム３１４は、サブディスプレイ２６ｂに着呼情報だけを表示させるためのプログラムである。
【００８２】
第２実施例のデータ記憶領域３０４には、発信元情報バッファ３５０およびアドレス帳データ３５２がさらに記憶される。発信元情報バッファ３５０は、アンテナ１２によって受信された発信元情報を一時的に記憶するバッファである。また、アドレス帳データ３５２は、先述したとおり、電話番号および氏名などの情報から構成されるアドレスデータを複数含むデータである。
【００８３】
第２実施例のプロセッサ２０は、図９に示す着呼情報表示処理なども含めて、複数のタスクを並列的に処理する。
【００８４】
図９は、着呼情報処理のフロー図である。プロセッサ２０は、ステップＳ２１で発呼信号を受信したか否かを判断する。つまり、発呼信号がアンテナ１２によって受信される着呼状態を検出したか否かを判断する。ステップＳ２１で“ＮＯ”であれば、つまり発呼信号を受信しなければステップＳ２１の処理を繰り返し実行する。一方、ステップＳ２１で“ＹＥＳ”であれば、つまり発呼信号を受信すれば、ステップＳ２３でサブディスプレイ２６ｂに着呼情報だけを表示させる。たとえば、ステップＳ２３では、発信元情報バッファ３５０に記憶されている電話番号と対応する氏名を、アドレス帳データ３５２から検索する。そして、検索結果として氏名が得られれば、着呼状態であることを表す絵文字と氏名とを着呼情報として、サブディスプレイ２６ｂに表示させる。
【００８５】
続いて、ステップＳ２５では、発呼信号が途絶したか否かを判断する。たとえば、応答操作などがされ、着呼信号が受信されなくなったか否かを判断する。ステップＳ２５で“ＮＯ”であれば、つまり発呼信号が受信され続ければ、ステップＳ２５の処理を繰り返し実行する。一方、ステップＳ２５で“ＹＥＳ”であれば、つまり発呼信号が途絶すれば、ステップＳ２７でサブディスプレイ２６ｂに現在時刻および状態アイコンを表示させ、ステップＳ２１に戻る。
【００８６】
なお、サブディスプレイ２６ｂには、着呼状態ではなく、未応答の着呼履歴情報が表示されるようにしてもよい。具体的には、未応答の着呼履歴情報がある場合に、操作キー２２ａが操作されば、サブディスプレイ２６ｂに着呼情報と同様に、相手の名前または電話番号が表示される。
【００８７】
また、電子メールやSMS(Short Message Service)によるメッセージの送受信が可能な携帯電話機１０であれば、ヘッダ情報などに含まれる発信者の情報だけを、着呼状態と同様に、サブディスプレイ２６ｂに表示させてもよい。
【００８８】
また、第２実施例においてステップＳ２１の処理を実行するプロセッサ２０は検出手段および着呼状態検出手段として機能し、ステップＳ２３の処理を実行するプロセッサ２０は情報表示手段および着呼情報表示手段として機能する。
【００８９】
＜第３実施例＞
第３実施例では、動作状態に携帯電話機１０で実行される機能の実行状態が含まれ、或る機能が実行された状態になると、或る機能に関する情報だけがサブディスプレイ２６ｂに表示される。なお、第３実施例の携帯電話機１０も、第１実施例と同じであるため、携帯電話機１０の電気的な構成および外観などの詳細な説明は省略する。
【００９０】
第３実施例の携帯電話機１０は、音声データを再生する再生機能およびスピーカから出力される音声の音量調整機能を有する。そして、再生機能が実行される状態であれば、サブディスプレイ２６ｂには、図１０（Ａ）に示すように、再生機能が実行されていることを示す絵文字と、音楽データの再生時間などから構成される再生情報だけが表示される。
【００９１】
また、音量調整機能が実行される状態であれば、サブディスプレイ２６ｂには、図１０（Ｂ）に示すように、音量調整中であることを示す絵文字と、音量を表す数字列と、音量を合わすＧＵＩなどから構成される音量情報だけが表示される。
【００９２】
図１１は、第３実施例におけるＲＡＭ３０のメモリマップを示す図解図である。なお、第３実施例のＲＡＭ３０は、図５および図８に示したプログラムおよびデータが既に記憶されており、さらにバッファ、フラグおよびカウンタも既に設けられている。
【００９３】
第３実施例のプログラム記憶領域３０２には、携帯電話機１０を動作させるためのプログラムとして再生情報表示プログラム３１６および音量情報表示プログラム３１８がさらに記憶される。再生情報表示プログラム３１６は、再生機能が実行される場合に、再生情報だけをサブディスプレイ２６ｂに表示させるためのプログラムである。音量情報表示プログラム３１８は、音量調整機能が実行される場合に、音量情報だけをサブディスプレイ２６ｂに表示させるためのプログラムである。なお、図示はしていないが、音声データを再生するためのプログラムおよび音量を調整するためのプログラムなども、プログラム記憶領域３０２に記憶される。
【００９４】
第３実施例のデータ記憶領域３０４には、再生情報バッファ３５４および音量情報バッファ３５６がさらに設けられると共に、音声データ３５８がさらに記憶される。再生情報バッファ３５４には、再生される音声データの再生時間などが一時的に記憶される。また、音量情報バッファ３５６には、スピーカから出力される音声の音量を表す値（数字列）などが一時的に記憶される。音声データ３５８は、音声メモ機能によって録音された音声や、電子メール機能およびMMS(Multimedia Messaging Service)によって受信した音声などのデータである。
【００９５】
第３実施例のプロセッサ２０は、図１２に示す再生情報表示処理および図１３に示す音量情報表示処理なども含めて、複数のタスクを並列的に処理する。
【００９６】
図１２は、再生情報表示処理のフロー図である。プロセッサ２０は、ステップＳ４１で再生処理か否かを判断する。たとえば、ステップＳ４１では、音声データ再生機能の実行を検出したか否かを判断する。ステップＳ４１で“ＮＯ”であれば、つまり再生機能が実行されていなければ、ステップＳ４１の処理を繰り返し実行する。一方、ステップＳ４１で“ＹＥＳ”であれば、つまり再生機能が実行されていれば、ステップＳ４３で最新の音声情報を取得する。つまり、音声情報バッファ３５４に記録される再生時間などの情報を取得する。続いて、ステップＳ４５では、サブディスプレイ２６ｂに再生情報だけを表示する。たとえば、図１０（Ａ）に示すように、再生時間と再生機能が実行されていることを表す絵文字とから構成される再生情報を、サブディスプレイ２６ｂに表示させる。
【００９７】
続いて、ステップＳ４７では、再生処理が終了したか否かを判断する。つまり、音声データの再生が終了したか否かを判断する。ステップＳ４７で“ＮＯ”であれば、つまり再生処理が終了していなければ、ステップＳ４３に戻る。一方、ステップＳ４７で“ＹＥＳ”であれば、つまり再生処理が終了すれば、ステップＳ４９で、ステップＳ７と同様に、サブディスプレイ２６ｂに現在時刻および状態アイコンを表示し、ステップＳ４１に戻る。
【００９８】
なお、音声データ３５８の代わりに音楽データが再生されてもよく、サブディスプレイ２６ｂには音楽データの再生情報だけが表示されてもよい。
【００９９】
図１３は、音量情報表示処理のフロー図である。たとえば音声データを再生する機能が実行されると、プロセッサ２０は、ステップＳ６１で音量調整操作か否かを判断する。たとえば、ステップＳ６１では、音声データの再生中に音量を調整する操作が実行され、音量調整機能の実行を検出したか否かを判断する。ステップＳ６１で“ＮＯ”であれば、つまり音量調整操作がされなければ、ステップＳ６１の処理を繰り返し実行する。一方、ステップＳ６１で“ＹＥＳ”であれば、つまり音量調整操作が実行されれば、ステップＳ６３で最新の音量情報を取得する。つまり、音量情報バッファ３５６から音量を表す値を読み出す。続いて、ステップＳ６５では、サブディスプレイ２６ｂに音量情報だけを表示させる。たとえば、図１０（Ｂ）に示すように、絵文字と音量の値と音量を表すＧＵＩとから構成される音量情報だけをサブディスプレイ２６ｂに表示する。
【０１００】
続いて、ステップＳ６７では、調整操作が終了したか否かを判断する。たとえば、音量を調整するための操作が一定時間（たとえば、１秒）されなかったかを判断する。ステップＳ６７で“ＮＯ”であれば、つまり音量の調整操作が終了しなければ、ステップＳ６３に戻る。一方、ステップＳ６７で“ＹＥＳ”であれば、つまり音量の調整操作が終了すれば、ステップＳ６９で、ステップＳ７と同様に、サブディスプレイ２６ｂに現在時刻および状態アイコンを表示し、ステップＳ６１に戻る。
【０１０１】
なお、第３実施例において、ステップＳ４１またはステップＳ６１の処理を実行するプロセッサ２０は検出手段として機能し、ステップＳ４５またはステップＳ６５の処理を実行するプロセッサ２０は情報表示手段として機能する。
【０１０２】
＜第４実施例＞
第４実施例では、時刻だけが表示されている状態で行われる切替操作に応じて、携帯電話機１０の状態情報だけをサブディスプレイ２６ｂに表示させる。なお、第４実施例の携帯電話機１０は、第１実施例と同じであるため、携帯電話機１０の電気的な構成、外観およびＲＡＭ３０のメモリマップなどの詳細な説明は省略する。
【０１０３】
たとえば、図１４（Ａ）を参照して、第４実施例の携帯電話機１０では、現在時刻が表示されている状態で切替操作が実行されると、状態情報として、携帯電話機１０の充電池情報が表示される。充電池情報は、状態表示領域６０（図４（Ａ）参照）に表示される簡易的なものではなく、充電池の残電池容量を百分率で表す数値および充電池を表す絵文字から構成される。
【０１０４】
また、図１４（Ｂ）を参照して、充電池情報が表示されている状態でさらに切替操作がされると、状態情報として、アンテナ１２の電波情報が表示される。電波情報は、無線通信回路１４が対応する通信方式およびアンテナ１２の電波強度から構成される。
【０１０５】
そして、切替操作が行われる度に充電池情報および電波情報が切り替えられ、切替操作が第２所定時間（たとえば、３秒間）行われなければ、サブディスプレイ２６ｂの表示は現在時刻だけの表示に戻る。
【０１０６】
なお、第４実施例における切替操作とは、操作キー２２ａの操作または携帯電話機１０を連続して開閉する操作である。また、切替操作によって最初に表示されるのは、電波情報であってもよい。
【０１０７】
このように、使用者は、現在時刻だけの表示から、携帯電話機１０の状態情報だけの表示に容易に切り替えることができる。つまり、使用者は、自身が必要な情報だけを表示させることができる。
【０１０８】
第４実施例のプロセッサ２０は、図１５に示す時刻表示処理なども含めて、複数のタスクを並列的に処理する。なお、ステップＳ１−Ｓ５の処理は、第１実施例で既に説明しているため、詳細な説明は省略する。
【０１０９】
プロセッサ２０は、ステップＳ１で時刻表示イベントか否かを判断し、“ＮＯ”であればステップＳ１の処理を繰り返し判断する。一方、ステップＳ１で“ＹＥＳ”であればステップＳ３でサブディスプレイ２６ｂに現在時刻だけを表示する。続けて、ステップＳ５では、第１所定時間が経過したか否かを判断する。ステップＳ５で“ＹＥＳ”であれば、ステップＳ８１でサブディスプレイ２６ｂの表示を消去し、ステップＳ１に戻る。つまり、ステップＳ８１では、現在時刻だけが表示されてから第１所定時間が経過すれば、サブディスプレイ２６ｂに表示される現在時刻が消去される。なお、表示の消去はサブディスプレイ２６ｂの電源がオフにされてもよいし、第２表示ドライバ２４ｂに含まれるビデオＲＡＭがリセットされてもよい。
【０１１０】
また、ステップＳ５で“ＮＯ”であれば、ステップＳ８３で切替操作か否かを判断する。たとえば、操作キー２２ａが操作されたか否かを判断する。ステップＳ８３で“ＮＯ”であれば、つまり切替操作がされなければ、ステップＳ５に戻る。一方、ステップＳ８３で“ＹＥＳ”であれば、つまり切替操作がされれば、ステップＳ８５でサブディスプレイ２６ｂに状態情報だけを表示する。たとえば、図１４（Ａ）に示すように、充電池情報だけをサブディスプレイ２６ｂに表示させる。
【０１１１】
続いて、ステップＳ８７では、切替操作が継続されているか否かを判断する。たとえば、操作キー２２ａがさらに操作されたか否かを判断する。ステップＳ８７で“ＹＥＳ”であれば、つまり操作キー２２ａがさらに操作されれば、ステップＳ８５に戻る。一方、ステップＳ８７で“ＮＯ”であれば、つまり操作キー２２ａが操作されなければ、ステップＳ８９で第２所定時間が経過したか否かを判断する。つまり、表示カウンタ３４０のカウント値が第２所定時間以上であるか否かを判断する。ステップＳ８９で“ＮＯ”であれば、たとえば充電池情報が表示されてから第２所定時間が経過していなければ、ステップＳ８７に戻る。一方、ステップＳ８９で“ＹＥＳ”であれば、たとえば充電池情報が表示されてから第２所定時間が経過すれば、ステップＳ３に戻る。つまり、充電池情報だけの表示から、現在時刻だけの表示に戻る。
【０１１２】
なお、第４実施例では、携帯電話機１０の状態情報だけをサブディスプレイ２６ｂに表示したが、日付と曜日とから構成される日付情報だけをサブディスプレイ２６ｂに表示するようにしてもよい。
【０１１３】
また、ステップＳ８３の処理を実行するプロセッサ２０は判断手段として機能し、ステップＳ８５の処理を実行するプロセッサ２０は状態表示手段として機能する。
【０１１４】
以上の説明から分かるように、折り畳み型の携帯電話機１０は、第１筐体Ｃ１の内側面に設けられるメインディスプレイ２６ａおよび第１筐体Ｃ１の内側面に設けられるサブディスプレイ２６ｂを備える。携帯電話機１０のプロセッサ２０は、使用者の操作によって発生する時刻表示イベントや、発呼信号の受信状態などに応じて、サブディスプレイ２６ｂに現在時刻や、着呼情報だけを表示させる。
【０１１５】
これによって、携帯電話機１０の動作状態に応じた情報だけがサブディスプレイ２６ｂに表示されるため、使用者はサブディスプレイ２６ｂの表示が確認しやすくなる。
【０１１６】
なお、第１実施例から第４実施例は、任意に組み合わせることが可能であり、具体的な組み合わせについては容易に想像できるので、詳細な説明は省略する。
【０１１７】
また、本実施例のサブディスプレイ２６ｂには、現在時刻や、着呼情報だけではなく、キーロック状態においてキー操作されたときの動作状態では、キーロック状態を示す情報だけが表示されてもよいし、充電池の残電池容量が一定値以下となったときの動作状態では、充電を促す情報だけが表示されてもよい。
【０１１８】
そして、携帯電話機１０の通信方式には、W-CDMA方式に限らず、CDMA方式、GSM方式、TDMA方式およびPHS方式などを採用してもよい。さらに、メインディスプレイ２６ａおよびサブディスプレイ２６ｂにはＬＣＤモニタが利用されるが、有機ＥＬパネルなどの他の表示装置が利用されてもよい。そして、本願発明は、携帯電話機１０のみに限らず、携帯型の音楽プレイヤ、PDA(Personal Digital Assistant)およびノート型ＰＣ（ネットブックなども含む）などの電子機器などに適用されてもよい。
【符号の説明】
【０１１９】
１０    …  携帯電話機
１８    …  スピーカ
２０    …  プロセッサ
２０ａ    …  ＲＴＣ
２２    …  キー入力装置
２２ａ    …  操作キー
２６ａ    …  メインディスプレイ
２６ｂ    …  サブディスプレイ
３０    …  ＲＡＭ
３２    …  磁気センサ
３４    …  磁石
【図１】
2011049846.tif 000003
【図２】
2011049846.tif 000004
【図３】
2011049846.tif 000005
【図４】
2011049846.tif 000006
【図５】
2011049846.tif 000007
【図６】
2011049846.tif 000008
【図７】
2011049846.tif 000009
【図８】
2011049846.tif 000010
【図９】
2011049846.tif 000011
【図１０】
2011049846.tif 000012
【図１１】
2011049846.tif 000013
【図１２】
2011049846.tif 000014
【図１３】
2011049846.tif 000015
【図１４】
2011049846.tif 000016
【図１５】
2011049846.tif 000017